(57)【要約】      （修正有）【課題】金属箔の使用量を少なくしつつも豪華さ・高級感を演出することができ、取り出すなどの取り扱いも容易な金属箔入り容器を提供する。【解決手段】料理やコーヒー・酒などの飲食物に振りかけて使用するなど食用としての金属箔４が収納された金属箔入り容器１において、金属箔入り容器１を透明な合成樹脂製の容器として構成すると共に、その下方に取り出し口２ａが設けられて、所定の大きさで収納される金属箔４を静電気の作用で合成樹脂製の容器の内壁面に付着させると共に、飲食物に振りかけるときは下方の取り出し口２ａから取り出す。【選択図】図２
2014008970.tif 000002
【特許請求の範囲】
【請求項１】
料理やコーヒー・酒などの飲食物に振りかけて使用するなど食用としての金属箔が収納された金属箔入り容器において、
金属箔入り容器を透明な合成樹脂製容器として構成すると共に、その下方に取り出し口が設けられて、所定の大きさで収納される金属箔を静電気の作用で合成樹脂製容器の内壁面に付着させると共に、飲食物に振りかけるときは下方の取り出し口から取り出すことを特徴とする金属箔入り容器。
【請求項２】
前記容器本体は、上方が閉塞された略筒形状で、下方の取り出し口に向かってその径が大きくなることを特徴とする請求項１記載の金属箔入り容器。
【請求項３】
前記容器本体の取り出し口に蓋が取り付けられ、前記蓋の材質は、金属箔との間で、前記容器本体の材質よりも静電気力が強く作用する材質であることを特徴とする請求項１または２記載の金属箔入り容器。
【請求項４】
前記容器本体の取り出し口の近傍には、首や手首などに吊り下げて使用するストラップが取り付けられることを特徴とする請求項１ないし３のいずれか一項記載の金属箔入り容器。
【請求項５】
前記合成樹脂製容器を複数個使用して、一方の容器の尖塔状の先端を連結する他方の容器の取り出し口に差し込むようにして連結させることを特徴とする請求項１ないし３のいずれか一項記載の金属箔入り容器。
【請求項６】
前記金属箔は、大きさの異なるように裁断したものが混在することを特徴とする請求項１ないし５のいずれか１項記載の金属箔入り容器。
【請求項７】
前記容器本体内には、金箔、銀箔、銅箔、又は、プラチナ箔のうちの少なくとも２種類からなる金属箔が収納されることを特徴とする請求項１ないし５のいずれか１項記載の金属箔入り容器。
【発明の詳細な説明】
【技術分野】
【０００１】
本発明は、料理やコーヒー・酒などの飲食物に振りかけて使用するなど食用としての金属箔が収納される金属箔入り容器に関する。
【背景技術】
【０００２】
金属箔、すなわち、金箔、銀箔、銅箔、プラチナ箔等は、工芸品などに多く使用されるが、近年はその使用の広がりを見せ、置物、櫛など身の回りの小物、衣類などに使用される他、ケーキやコーヒーに振りかけたり、料理を彩るために使用されるなど、それら飲食物の豪華さ・高級感を演出する役割を担っている。なお、金属箔、例えば、金箔、プラチナ箔などは、身体に有効に働く作用も認められ、その食用としての需要は増加している。
【０００３】
これら食用として使用される金属箔においては、例えば、特許文献１で示されるように（図１０（ａ）参照）、０．０１〜９ｍｍ２の表面積を有する形状に形成された金属箔３４が、容器５１内に収納され詰栓で封止されて、容器５１が有する振り出し口５１ａから振りかけて使用されるものが提案されている。
【０００４】
また、特許文献２で示されるように（図１０（ｂ）参照）、粉状に形成された食用金属箔４４が容器６１に収納され、その容器６１が有する金属箔粉取出口６１ａからスプレー式に振りかけられて使用される金属箔粉振りかけ容器が提案されている。このように、食用金箔は、その取扱いの難しさから上述したように、容器に入れて取り扱われる。
【先行技術文献】
【特許文献】
【０００５】
【特許文献１】特開平３−１０９８号公報
【特許文献２】特開２０００−６９８４号公報
【発明の概要】
【発明が解決しようとする課題】
【０００６】
ところで、金箔などの金属箔は、薄く延ばして使用されるが、言うまでもなく高価なものである。したがって、食用として使用するといえども、その使用量を少なくしつつも豪華さ・高級感を演出することが必要である。
しかしながら、上述した特許文献１、２では、粒子状の金箔を容器に単に入れて、これを取り出すようにしたり、スプレーで取り出すために、金箔の量としては、それ相当の量が必要になって高価になってしまう反面、装飾効果としても、その豪華さ・高級感などを十分に引き出すことができたとは言い切れないものであった。
さらに、金箔など金属箔は、静電気の作用などで手などで扱うことは非常に難しく、薄く延ばした金箔では、細い木や静電気を起こしにくい竹製の物などで扱う必要があるが、このような静電気の作用を無視して使用すると、演出効果が失われたり、排出が困難になるなど、その目的価値が半減してしまうこととなる。
【０００７】
そこで、本発明の目的は、その使用量を少なくしつつも豪華さ・高級感を演出することができ、取り出すなどの取り扱いも容易な金属箔入り容器を提供することにある。
【課題を解決するための手段】
【０００８】
本発明の金属箔入り容器は、料理やコーヒー・酒などの飲食物に振りかけて使用するなど食用としての金属箔が収納された金属箔入り容器において、金属箔入り容器を透明な合成樹脂製容器として構成すると共に、その下方に取り出し口が設けられて、所定の大きさで収納される金属箔を静電気の作用で合成樹脂製容器の内壁面に付着させると共に、飲食物に振りかけるときは下方の取り出し口から取り出すことを特徴とする。ここで、金属箔とは、金箔、銀箔、銅箔、又は、プラチナ箔などの金属箔のことを示している。
【０００９】
本発明によれば、プラスに帯電しやすい性質の合成樹脂製容器の内壁面とマイナスに帯電しやすい性質の金属箔との間に静電気が発生するため、この静電気の作用により、金属箔は容器本体の内壁面に付着するので（落下した状態にはならないので）、透明な合成樹脂製容器を介して外部からは静電気で付着した金属箔を視覚的に認識できる。そして、金属箔を取り出すときには、下方の取り出し口を開けて、左右（上下）に振ると（振動を与えると）、金属箔は容器内壁面から離れて、取り出し口から排出される。
【００１０】
本発明は、前記容器本体は、上方が閉塞された略筒形状で、下方の取り出し口に向かってその径が大きくなることが好ましい。
【００１１】
本発明によれば、容器本体が上方が閉塞された略筒形状であることで、金属箔を所定の大きさにすると、静電気の作用により、落下せずに容器の内壁面に付着した状態を維持するが、下方の取り出し口に向かってその径が大きくなっているので、容器を傾けて振ると、金属箔が容器本体の取り出し口から排出されて、料理などに振りかけられる。すなわち、取り出し口に向かって径が大きくなればなるほど、取り出し易くなる。
【００１２】
本発明としては、前記容器本体の取り出し口に蓋が取り付けられ、前記蓋の材質は、金属箔との間で、前記容器本体の材質よりも静電気力が強く作用する材質であることが好ましい。ここで、前記蓋は、前記容器本体と連結されていてもよいが、別体の蓋であっても良い。
そして、例えば、前記蓋の材質としては、金属箔に対して静電気の作用が強いアクリル樹脂やフッ素系樹脂が使用され、前記容器本体がこれら以外で前記蓋より静電気の作用が弱い合成樹脂製であるとき、容器内部の金属箔を取り出そうとするとき、金属箔は蓋に引き付けられるようにして取り出し口から取り出される。
また、前記蓋の材質が容器本体の材質よりも静電気力が強く作用する材質であることにより、蓋に金属箔が付着する静電気が強く発生するため、この静電気を利用して金属箔を排出させることができる。
【００１３】
本発明は、前記容器本体の取り出し口の近傍には、首や手首などに吊り下げて使用するストラップが取り付けられてもよい。
本発明によれば、ストラップが取り付けられることで、容器をネックレス、キーホルダーなどの装飾品としても活用できる。
【００１４】
本発明としては、前記合成樹脂製容器を複数個使用して、一方の容器の尖塔状の先端を連結する他方の容器の取り出し口に差し込むようにして連結させることを特徴とする。
本発明によれば、複数の容器に金属箔を所定量づつ収納した状態にしておき、一つの容器から所定量の金属箔を使用するごとに先頭の容器を廃棄して行く使用ができる。
【００１５】
本発明としては、前記金属箔は、大きさの異なるように裁断したものが混在することが好ましい。
【００１６】
本発明によれば、金属箔の大きいものは容器内壁面により安定して付着することで、容器の外観上、金属箔による豪華さなどの演出がなされ、他方、金属箔の小さいものは容器内壁面に付着しないので、金属箔が容器から容易に取り出される。すなわち、金属箔の大きさやその形状によって透明な合成樹脂製容器の内壁に付着しやすいものと付着し難いものとが混在して、収納されることになる。なお、粒子状の金属箔は、あまり容器の内壁に付着しない傾向があるが、混在して収納して、彩を添えるようにしても良い。
【００１７】
本発明としては、前記容器本体内には、金箔、銀箔、銅箔、又は、プラチナ箔のうちの少なくとも２種類からなる金属箔が収納されていることが好ましい。
【００１８】
本発明によれば、容器内に収納された複数の金属箔は、金箔、銀箔、銅箔、又は、プラチナ箔のうちの少なくとも２種類からなることで、更に豪華さ・高級感が増し、金属箔の装飾品としての価値が高まると共に、顧客吸引力も大きなものとなる。
【発明の効果】
【００１９】
本発明によれば、合成樹脂製容器の内壁面と金属箔との間に静電気が発生するため、この静電気の作用により容器本体の内壁面に付着するので（落下した状態にはならないので）、その内容量を少なくしつつも豪華さ・高級感を演出することができ、取り出すなどの取り扱いも容易になる。したがって、容器外観から金属箔を十分に認識できて、キーホルダー、ネックレスなど装飾品として活用することができるとともに、取り出す必要が生じた場合にも、容器から容易に取り出すことで、大きさの異なる混在したものが料理の盛り付けなどに活用されて演出効果を高めることが可能である。
【図面の簡単な説明】
【００２０】
【図１】本発明の第１の実施形態の金属箔入り容器の外観斜視図である。
【図２】図１の実施形態の金属箔入り容器において、容器本体が開封された状態を示す正面縦断面図である。
【図３】図１の実施形態の金属箔入り容器から金属箔が飲食物に振りかけられる状態を説明する図である。
【図４】本発明の金属箔入り容器の第２の実施例を説明する斜視図である。
【図５】図４の金属箔入り容器の使用例を説明する斜視図である。
【図６】本発明の金属箔入り容器の第３の実施例を説明する斜視図である。
【図７】本発明の金属箔入り容器の第４の実施例を説明する斜視図である。
【図８】本発明の金属箔入り容器の変形例を説明する斜視図である。
【図９】本発明の金属箔入り容器の変形例を説明する斜視図である。
【図１０】従来の金属箔入り容器を示す外観斜視図である。
【発明を実施するための形態】
【００２１】
（第１の実施形態）
以下、本発明を実施するための具体的な実施形態を図面を引用しながら説明する。
図１は、本発明の実施形態の金属箔入り容器の外観斜視図であり、図２は、図１の金属箔入り容器において、容器本体が開封された状態を示す正面縦断面図である。
本実施の形態の金属箔入り容器１は、透明な合成樹脂製の容器本体２内に、料理やコーヒー・酒など飲食物Ｆに振りかけて用いる金属箔４が収納されて、容器本体２の取り出し口（開口）２ａを蓋３が開閉可能に封止して構成されている。
【００２２】
容器本体２は、一端に取り出し口２ａを有し、他端が閉塞部２ｂの略筒形状に形成されており（直径１０〜２０ｍｍ程度で、全長が３０〜５０ｍｍ）、その中央部より上方の閉塞部２ｂに向かっては、径の大きさが徐々に小さくなっている。そして、本実施の形態の容器本体２は、合成樹脂製で構成され、軽量化が図られている。容器本体２の内壁面は、凹凸のない滑らかな形状であるので、食用の金属箔４との接触性がよいものとなっている。また、容器本体２の取り出し口２ａから閉塞部２ｂへの長さ方向が球形状のように湾曲せず直線形状であるので、容器１を傾けて軽く振るだけで、金属箔４が容器本体２の取り出し口２ａから容易に振りかけられることが可能となる。なお、容器本体２は、合成樹脂製以外に、金属箔に静電気を発生させる材質が用いられることができ、ガラス、ナイロン、金属、紙等の材質であってもよい。また、容器本体２は、内部の金属箔４を認識することができれば半透明でも良く、色は白色でも有色でもよい。
【００２３】
蓋３は、筒状の嵌合部３ａと平板状の操作部３ｂとが一体となって構成されており、具体的には、嵌合部３ａの一方の端部が操作部３ｂの一方の面に装着されている。嵌合部３ａは、その径が取り出し口２ａの径よりやや小さく形成されて、取り出し口２ａに対して嵌合し易くなっている。操作部３ｂは、略円形状であり、その外径は、容器本体２の取り出し口２ａの外径よりやや大きく形成され、指が操作部３ｂのエッジに引っかかり易く容易に蓋３を開封し易い構成となっている。
そして、蓋３は、帯状の連結部５を介して、容器本体２と連結され、容器本体２と蓋３と連結部５とが一体となって構成している。
【００２４】
金属箔４は、複数の金属箔４が容器本体２内に収納されている。金属箔４は、重力より静電気の方が大きく作用する所定の形状に形成されている。本実施の形態の金属箔４は、大きさの異なるものが混在しているが、大きなものは表面積を９ｍｍ２以上有し、三角形状、四角形状、帯状、スパイラル状等等、様々な形状に形成されている。複数の金属箔４は、容器本体２全体に渡り、重なることなく配置される。表面積が上記９ｍｍ２以上の大きさのものが、それよりも小さな金属箔よりも、上記記載の容器１との関係で容器１の内壁に静電気の作用で付着し易い傾向にある。なお、金属箔４の形状及び表面積の大きさは、上記形態に限定されず、重力より静電気の方が大きく作用すれば、金属箔４を任意の形状に形成することができる。また、金属箔４は、金箔やプラチナ箔などがそれぞれ単独で用いられても良いし、複数の種類のものが混在して用いられてもよい。具体的には、金属箔４としては、銅抜き４合色金箔として純金９４．４３％、純銀５．５６％の金箔、また、銅が混在された４合色金箔として純金９４．４３％、純銀４．９０、純銅０．６６％の金箔などを単独で容器に用いることができる。
【００２５】
次に、本実施の形態における金属箔入り容器１の使用例を図３を用いて説明する。
図３は、上記実施形態の金属箔入り容器から金属箔が飲食物に振りかけられる状態を説明する図である。
容器１においては、図３に示すように、一方の手で容器本体２から蓋３を開封して、容器本体２を取り出し口２ａが下向きとなるように傾けて、飲食物Ｆに向かって数回（少なくとも１回以上）軽く振る。そうすると、その振動で、金属箔４が容器本体２の取り出し口２ａから飲食物Ｆに落ちる。引き続き、金属箔４を飲食物Ｆに振りかけたい場合には、この振り下ろし作業を繰り返す。このように、非常に簡単な一連の作業によって、必要量の金属箔４を調節しながら飲食物Ｆに振りかけることができる。なお、静電気の作用で排出されない金属箔４も生じ得るが、それは容器１の内壁に付着した状態では目立つとしても、量的には僅かであるので（使用量を排出すれば良いので）、そのまま容器ごと廃棄しても構わない。
【００２６】
（第２の実施形態）
図４は、本発明の金属箔入り容器の第２の実施例を説明する斜視図であり、図５は、図４の金属箔入り容器の使用例を説明する斜視図である。なお、上述の第１の実施形態で用いたのと同じ構成については、同じ符号を用いて説明する。
【００２７】
本実施の形態の容器１１においては、図４に示すように、容器本体２と蓋３との連結部５に、首や手首などに吊り下げて使用するストラップ７を取り付けるための取り付け部６が形成されている。取り付け部６は、連結部５を上下方向に貫通する孔で、この孔内にストラップ７が通っている。これにより、図５に示すように、ストラップ７を首にかけて、金属箔アクセサリー（ネックレス）として、容器１１を使用することができる。また、容器１１は、装飾品として活用できるだけでなく、身体に携帯できることで必要なときに使用できる。なお、本実施の形態では、取り付け部６は、連結部５に設けたが、これに限定されず、蓋３や容器本体２など、様々な箇所に設けることができる。ただし、本実施の形態のように、容器本体２の取り出し口２ａの近傍に設けることで、首や手首などに吊り下げて使用した場合に、取り出し口２ａが下向きになることはなく、仮に蓋３が容器本体２から外れた場合に金属箔４がこぼれるのを防止することができる。
【００２８】
（第３の実施形態）
図６は、本発明の金属箔入り容器の第３の実施例を説明する斜視図である。
本実施の形態の容器２１には、図６に示すように、上述した第１、２の実施形態の容器１、１１には主に多角形状の金属箔４が収納されていたのに対し、本実施の形態の容器２１には主に帯形状の金属箔１４が収納されている。なお、上述の第１、２の実施形態で用いたのと同じ構成については、同じ符号を用いて説明する。
容器２１には、図６に示すように、２つの多角形状（三角形状、台形状）の金属箔４と、３つの帯形状の金属箔１４とが収納されている。それら金属箔４、１４は、重力より静電気の方が大きく作用する所定の形状に形成されており、本実施の形態では表面積を約９ｍｍ２以上有するように形成されて、容器本体２内壁面に安定して（容器２１の少しの振動で離れることはなく）付着している。３つの金属箔１４のうち、容器本体２下方に配置する金属箔１４ａは、容器本体２の円周方向に沿って付着しており、残りの２つの金属箔１４ｂ、１４ｃは、容器本体２の長さ方向に沿って付着している。このとき、金属箔１４は、その全面が容器本体２内壁面に付着していない場合でも、具体的には両端部の２箇所で引っ付きその中央部では付着して（接触して）いなくても、容器本体２の内壁面と安定して付着することができる。これにより、帯形状の金属箔１４は、薄い性質上湾曲してその全面で容器本体２内壁面と付着することは難しいが、一部の面が付着することで、容器本体２内壁面に安定して付着することができる。一方、２つの多角形状の金属箔４は、静電気の作用により、帯形状の金属箔１４と重なることなく、隙間を埋めるように、容器本体２の内壁面に付着している。
これにより、金属箔４、１４は、どのような形状であっても、静電気の作用により、容器本体２内壁面に様々な形態で安定して付着することができる。また、本実施のように、帯形状の金属箔１４が容器本体２の長さ方向に沿って付着する場合には、少ない量でも容器全体に配置されて外観上、見栄え良くすることができる。
【００２９】
（第４の実施形態）
図７は、本発明の金属箔入り容器の第４の実施例を説明する斜視図である。
本実施の形態では、容器３１は、蓋３が容器本体２とは別体で構成され、容器本体２とは別の材質で構成されている。また、取り出し口２ａに向かって径が大きくなるように形成されている。このように径が大きくなればなるほど、金属箔４の取り出しは容易である。
【００３０】
ここで、物体にはそれぞれプラス側に帯電しやすい材質とマイナス側に帯電しやすい材質とがあり（それぞれの極性に帯電しやすい材質を順番に並べたものを帯電列といい、この帯電列で両極端の材質を選択すると良い。）、お互いの距離が遠い材質（プラス側とマイナス側に離れている材質）を組み合わせると、静電気の発生量が大きくなる（逆に近い材質同士を組合わせることにより静電気の発生量が少なくなる）。
【００３１】
したがって、蓋３の材質としては、例えば、容器本体２の材質よりプラス側に帯電しやすいアクリル樹脂やフッ素系樹脂などが使用されることで、マイナス側に帯電しやすい金属箔４に対して、蓋３の方が容器本体２より大きな静電気を発生する。このため、容器本体２内部の金属箔４を取り出そうとするとき、金属箔４は蓋３に引き付けられるようにして取り出し口から取り出される。加えて、本実施の形態のように、蓋３と容器本体２とが両方ともプラス側に帯電しやすい場合に、例えば、ガラスやナイロンはプラスに帯電しやすい性質を持っており、これら二つの物質が重なった場合は、よりプラスに帯電しやすいガラスはプラスに、ナイロンはマイナスに帯電することから分かるように、容器本体２よりプラスに帯電しやすい蓋３はプラスに、容器本体２はマイナスに帯電することで、金属箔４と蓋３との方が容器本体２より静電気の発生量が大きくなるので、この静電気を利用して蓋３を外すことで金属箔４を排出させ易くすることができる。
また、図８に示すように、本実施の形態の容器３１を複数本連結して、つまり尖塔状の先端を連結する容器３１の開口（取り出し口）４ａに差し込むことで複数本連結し、最後尾の容器にのみ蓋３をして、金属箔４を所定量づつ取り出して（所定量使用するごとに先頭の容器を廃棄することで）、使用するようにしても良い。この場合、差し込まれる尖塔状の先端に容器３１内の金属箔４が静電気の作用で付着すると取り出し易くなるが、差し込まれる尖塔状の先端の形状・大きさや材質を変更することで、静電気による付着力の強弱を調整することができる。また、複数個の容器の取り出し口（開口）４ａにシール材（紙製や金属箔などでも可）を施し、このシール材を貫通（突き刺すように）して多数連結させても良い。
【００３２】
以上、上記実施の形態では、図９に示すように、粒子状の金属箔２４を混在させることも可能である。すなわち、金属箔入り容器４１においては、金箔、銀箔、銅箔、又は、プラチナ箔のうちの少なくとも２種類からなるようにしたり、粒子状の金属箔と混在させたことで、豪華さをより演出することが可能である。また、合成樹脂製でもより軟質系の樹脂を使用して、指の力で容器を潰すようにして、収納される金属箔を取り出すようにすることも可能である。このように、本発明は、その趣旨を逸脱しない範囲で適宜変更が可能であることはいうまでもない。
【符号の説明】
【００３３】
１、１１、２１、３１、４１、５１、６１  食用金箔入り容器
２          容器本体、
２ａ        取り出し口（開口）、
２ｂ        閉塞部、
３          蓋、        
３ａ        嵌合部、
３ｂ        操作部、
４、１４、２４、３４、４４            金属箔（金箔）、
５          連結部、
６          取り付け部、
７          ストラップ、
Ｆ          飲食物
【図１】
2014008970.tif 000003
【図２】
2014008970.tif 000004
【図３】
2014008970.tif 000005
【図４】
2014008970.tif 000006
【図５】
2014008970.tif 000007
【図６】
2014008970.tif 000008
【図７】
2014008970.tif 000009
【図８】
2014008970.tif 000010
【図９】
2014008970.tif 000011
【図１０】
2014008970.tif 000012